(57)【要約】【課題】新規に施工する場合にあっては使用ペア線数を減らすことができ、しかもリニューアルする場合には既存のペア線をそのまま利用できる集合住宅用監視・通話システムを提供することにある。【解決手段】ロビーインターホン装置３と各住戸の住宅情報盤１或いは管理人室の警報監視盤２との間の通話音声や制御データの送受信をパケット化された通信データとしてペア線Ｌ２を多重伝送によって行うようになっている。【選択図】図１
2005236581.tif 000002
【特許請求の範囲】
【請求項１】
インターホンの送話手段及び受話手段と、前記送話手段から入力される音声信号及び制御系の制御信号をそれぞれデジタル変換して、このデジタル変換した音声データ及び制御データを所定のプロトコルにより第１の伝送路を介して多重伝送する送信手段と、前記第１の伝送路を介して伝送されくる音声データ及び制御データを受信復調する受信手段と、復調した音声データを前記受話手段で音声として再生させる手段と、復調した制御データに基づいて制御処理を行う手段とを共用設備の端末及び各住戸の端末にそれぞれ備え、
共用設備として設けられるロビーインターホン用の端末には、来訪者撮影用撮像カメラの映像信号を第２の伝送路を介して通話先の端末へ伝送する映像送信手段を備え、
前記ロビーインターホン用の端末との通話先対象となる共用設備の端末及び各住戸の端末には前記映像信号を受信再生して映像をモニタ装置に映し出す映像処理手段を備えていることを特徴とする集合住宅用監視・通話システム。
【請求項２】
前記各端末はそれぞれを識別する固有アドレスを持ち、各端末間で授受される音声データ及び制御データは送信先を指定する固有アドレスデータを含んだパケットデータからなり、この音声データ及び制御データのパケットデータを前記第１の伝送路上に多重伝送することを特徴とする請求項１記載の集合住宅用監視・通話システム。
【請求項３】
共用場所に設置され、共用場所を監視用撮影カメラで撮影する監視装置を１乃至複数設け、該監視装置には監視用撮影カメラで捉えた映像信号を静止画像の圧縮データに変換するとともに、該圧縮データをパケットデータとして前記送信手段により前記第１の伝送路に伝送させる手段を備え、
共用設備として設けられる警報監視用の端末及び各住戸の端末の前記受信手段には、前記監視装置から伝送されてくるパケットデータから復調した前記圧縮データを伸張して前記モニタ装置に静止画像を表示させる伸張手段を備えていることを特徴とする請求項1又は２記載の集合住宅用監視・通話システム。
【請求項４】
前記映像送信手段は来訪者撮影用撮像カメラの映像信号をデジタル映像データに変換して前記第２の伝送路上に送信させることを特徴とする請求項１乃至３の何れか記載の集合住宅用監視・通話システム。
【請求項５】
前記住戸の端末には防災感知器の感知信号を制御信号として取り込むインターフェースと、該インターフェースを介して前記防災感知器からの感知信号が入力すると、該感知信号を制御データとしてパケットデータにより前記送信手段から前記第１の伝送路上へ伝送させる手段とを設け、
前記警報監視用の端末の前記受信手段には、前記感知信号からなる制御データをパケットデータから復調すると、該制御データに基づいて発報処理を行う警報監視手段を設けていることを特徴とする請求項３又は４記載の集合住宅用監視・通話システム。
【請求項６】
前記住戸の端末及び前記警報監視用の端末に対して停電時に電源供給を行う非常電源装置を備え、各住戸の端末には前記非常電源装置からの電源供給中に前記インターフェースを介して前記防災感知器からの感知信号の入力があると、感知信号を前記第２の伝送路を介して前記警報監視用の端末へ制御信号として送信する送信手段を備え、
前記警報監視用の端末の警報監視手段には前記第２の伝送路を介して制御信号を受信すると警報を発する停電処理機能を備えていることを特徴とする請求項５記載の集合住宅用監視・通話システム。
【請求項７】
一斉放送用の音声データをパケットデータとして警報監視用の端末から送る際に、全住戸の端末宛を示す一斉放送チャンネル用固有アドレスデータをパケットデータに含めることを特徴とする請求項２乃至６の何れか記載の集合住宅用監視・通話システム。
【発明の詳細な説明】
【技術分野】
【０００１】
本発明は集合住宅用監視・通話システムに関するものである。
【背景技術】
【０００２】
従来、集合住宅にはロビーインターホン装置の撮影カメラで写した来訪者の映像を住戸内の住宅情報盤や管理人室の警報監視盤に設けたモニタ装置でモニタしながら来訪者と居住者或いは管理人と通話ができる住宅用監視・通話システムが提供されている（例えば特許文献１）。
【特許文献１】特開平５−８９３９１号公報（図１参照）
【発明の開示】
【発明が解決しようとする課題】
【０００３】
ところで、上記の従来例のシステムでは映像系信号線と、通話系信号線と、映像系信号線や通話系信号線の接続を制御するための制御系の信号線とを各別に配線する構成であるため、通常３ペア線が用いられている。
【０００４】
このため、新規にシステムを施工する場合、配線数が多く施工コストが高くなり、また仮に複数のロビーインターホン装置を設置する場合には、更に通話用の１ペア、映像用の1ペアからなる２ペア線を配線しなければならずコスト高であった。
【０００５】
一方、既存のシステムをリニューアルする場合には、既設の配線がそのまま利用できることが要求されているため、両者を満足するシステムの提供が希求されていた。
【０００６】
また集合住宅でアナログの音声信号を伝送する場合、伝送路が長くなると商用電源周波の誘導ノイズの影響を考慮しなければならず、そのため電源部には大型な絶縁型トランスを用いる必要があった。
【０００７】
本発明は、上述の点に鑑みて為されたもので、その目的とするところは、新規に施工する場合にあっては使用ペア線数を減らすことができ、しかもリニューアルする場合には既存のペア線をそのまま利用できる集合住宅用監視・通話システムを提供することにある。
【課題を解決するための手段】
【０００８】
上記目的を達成するために、請求項１の発明では、インターホンの送話手段及び受話手段と、前記送話手段から入力される音声信号及びインターホンの通話制御に少なくとも用いる制御信号をそれぞれデジタル変換して、このデジタル変換した音声データ及び制御データを所定のプロトコルにより第１の伝送路を介して多重伝送する送信手段と、前記第１の伝送路を介して伝送されくる音声データ及び制御データを受信復調する受信手段と、復調した音声データからインターホンの受話手段で音声として再生させる手段と、復調した制御データに基づいて制御処理を行う手段とを共用設備の端末及び各住戸の端末にそれぞれ備え、共用設備として設けられるロビーインターホン用の端末には、来訪者撮影用撮像カメラの映像信号を第２の伝送路を介して通話先の端末へ伝送する映像送信手段を備え、前記ロビーインターホン用の端末との通話先対象となる共用設備の端末及び各住戸の端末には前記映像信号を受信再生して映像をモニタ装置に映し出す映像処理手段を備えていることを特徴とする。
【０００９】
請求項１の発明によれば、映像信号を第２の伝送路で、また音声信号及び制御信号をデジタルデータに変換して第１の伝送路により多重化で送るため、それぞれの信号を狭帯域で送信することができ、そのため第１の伝送路及び第２の伝送路として従来のインターホン系に用いていたペア線を用いることができ、そのため新規施工時にあっては配線費用が安価となり、また既設のシステムをリニューアルする際にはそれまで使用されていた３ペア線の内の２ペアをそのまま流用でき、リニューアル費用も安価となる。
【００１０】
請求項２の発明では、請求項１の発明において、前記各端末はそれぞれを識別する固有アドレスを持ち、各端末間で授受される音声データ及び制御データは送信先を指定する固有アドレスデータを含んだパケットデータからなり、この音声データ及び制御データのパケットデータを前記第１の伝送路上に多重伝送することを特徴とする。
【００１１】
請求項２の発明によれば、多チャンネルの伝送が可能となり、そのため住戸間の通話や共用設備として設けられるロビーインターホン用の端末を複数箇所設けた場合において、各ロビーインターホン用端末と各住戸との間で同時に通話することが可能となる。
【００１２】
請求項３の発明では、請求項１又は２記載の発明において、共用場所に設置され、共用場所を監視用撮影カメラで撮影する監視装置を１乃至複数設け、該監視装置には監視用撮影カメラで捉えた映像信号を静止画像の圧縮データに変換するとともに、該圧縮データをパケットデータとして前記送信手段により前記第１の伝送路に伝送させる手段を備え、共用設備として設けられる警報監視用の端末及び各住戸の端末の前記受信手段には、前記監視装置から伝送されてくるパケットデータから復調した前記圧縮データを伸張して前記モニタ装置に静止画像を表示させる伸張手段を備えていることを特徴とする。
【００１３】
請求項３の発明によれば、監視用撮影カメラで捉えた監視画像を端末側からの容易に応じて当該端末宛に伝送させることができ、しかも前記圧縮データを用いるため伝送帯域が狭帯域で、音声データ及び制御データのパケットデータの伝送に用いる第１の伝送路を伝送路として用いることができる。
【００１４】
請求項４の発明では請求項１乃至３の何れかの発明において、前記映像送信手段は来訪者撮影用撮像カメラの映像信号をデジタル映像データに変換して前記第２の伝送路上に送信させることを特徴とする。
【００１５】
請求項４の発明によれば、伝送帯域をアナログ映像信号と同様にペア線からなる伝送路を用いることができるのは勿論のこと、分岐器を用いることなく映像を各端末へ配信することができ、システムの構成要素の削減により施工費の低コスト化が図れる。
【００１６】
請求項５の発明の発明では、請求項３又は４の何れかの発明において、前記住戸の端末には防災感知器の感知信号を制御信号として取り込むインターフェースと、該インターフェースを介して前記防災感知器からの感知信号が入力すると、該感知信号を制御データとしてパケットデータにより前記送信手段から前記第１の伝送路上へ伝送させる手段とを設け、前記警報監視用の端末の前記受信手段には、前記感知信号からなる制御データをパケットデータから復調すると、該制御データに基づいて発報処理を行う警報監視手段を設けていることを特徴とする。
【００１７】
請求項５の発明では、防災発報のための感知信号を制御データとして住戸用の端末から警報監視用の端末へ第１の伝送路を用いて伝送することができるため、伝送路を特に増やすことなく、防災の機能を持つシステムを提供できる、
請求項６の発明では、請求項３乃至５の何れかの発明において、前記住戸の端末及び前記警報監視用の端末に対して停電時に電源供給を行う非常電源装置を備え、各住戸の端末には前記非常電源装置からの電源供給中に前記インターフェースを介して前記防災感知器からの感知信号の入力があると、感知信号を前記第２の伝送路を介して前記警報監視用の端末へ制御信号として送信する送信手段を備え、前記警報監視用の端末の警報監視手段には前記第２の伝送路を介して制御信号を受信すると警報を発する停電処理機能を備えていることを特徴とする。
【００１８】
請求項６の発明によれば、請求項２乃至５の何れかの発明において、停電時の防災警報のための伝送路を使用しなくなった映像信号伝送用の第２の伝送路を用いて確保することができ、しかも通話用に第１の伝送路を確保することができるため、非常時においてインターホンを用いた通話を可能とする。
【００１９】
請求項７の発明によれば、一斉放送用の音声データをパケットデータとして警報監視用の端末から送る際に、全住戸の端末宛を示す一斉放送チャンネル用固有アドレスデータをパケットデータに含めることを特徴とする。
【００２０】
請求項７の発明によれば、一斉放送のための伝送路を別途設けることなく、一斉放送ができる。
【発明の効果】
【００２１】
本発明は、映像信号を第２の伝送路で、また音声信号及び制御信号をデジタルデータに変換して第１の伝送路により多重化で送るため、それぞれの信号を狭帯域で送信することができ、そのため第１の伝送路及び第２の伝送路として従来のインターホン系に用いていたペア線を用いることができ、そのため新規施工時にあっては配線費用が安価となり、また既設のシステムをリニューアルする際にはそれまで使用されていた３ペア線の内の２ペアをそのまま流用でき、リニューアル費用も安価となるという効果がある。
【発明を実施するための最良の形態】
【００２２】
以下本発明を実施形態により説明する。
（実施形態１）
図２は本実施形態の集合住宅の通話／制御システムの構成を示しており、この本実施形態は、システムの端末として各住戸に設けられる住宅情報盤１と、共用設備として、管理人室に設けられる警報監視盤２と、共用部であるロービーに設けられるロビーインターホン装置３とが設置され、これら端末は集合住宅内に平衡伝送路を構成するペア線Ｌ１，Ｌ２を組み合わせた２ペア線４に接続されており、この２ペア線４の一方のペア線Ｌ１が映像信号の伝送路を、他方のペア線Ｌ２が音声及び制御のデータの伝送路を構成する。つまりペア線Ｌ２が第１の伝送路、ペア線Ｌ１が第２の伝送路を構成する。
【００２３】
ここで図１（ａ）に示すようにロビーインターホン装置３に設けられた来訪者撮影用の撮影カメラ７で撮影され、アナログ変調回路８により所定方式でアナログ変調された上で送信回路９によりペア線Ｌ１上へ送信されるアナログ映像信号は制御盤５に送られ、この制御盤５に図３（ａ）に示すように設けられた映像分配増幅回路５０を介して複数のペア線Ｌ１に分配されるようになっている。
【００２４】
他方ロビーインターホン装置３からのペア線Ｌ２は制御盤５内において、上記アナログ映像信号が分配されるペア線Ｌ１と組み合わせられて２ペア線４を構成するペア線Ｌ２に並列に接続されている。尚制御盤５には映像分配増幅回路５０用の電源部５１を備えている。
【００２５】
各住戸の住宅情報盤１は、集合住宅内に配線されている２ペア線４に対して住戸毎に対応して設けられた分岐器６を介して接続されるようになっている。
【００２６】
分岐器６は、図３（ｂ）に示すように内部において２ペア線４の一方のペア線Ｌ１に入力端が接続され、このペア線Ｌ１と住宅情報盤１からの２ペア線４の一方のペア線Ｌ１に出力端が接続さる映像分岐器６０を備え、また住宅情報盤１に接続される２ペア線４の他方のペア線Ｌ２を集合住宅内に配線されている２ペア線４のペア線Ｌ２に内部で並列接続してある。
【００２７】
ここでロビーインターホン装置３は上述した映像信号系の回路以外に、図１（ａ）に示すようにインターホン用の送話手段であるマイク１０と、受話手段であるスピーカ１１と、マイク１０からの送話音声信号を増幅するアンプ１２と、増幅された送話音声信号を符号化した音声データに変換する符号器及び通話相手から送られくる符号化された受話音声データを復号して出力するコーデック回路１３と、復号されたアナログの受話音声信号を増幅してスピーカ１１へ送るアンプ１４と、通話相手の住戸番号（住宅情報盤１に設定された固有アドレス）などを入力するテンキーや呼び出し操作を行うための操作部１５と、通話状態等をＬＥＤ等で表示するための表示部１６と、操作部１５の操作信号を取り込んで制御データを生成すると共に表示部１６及び撮像カメラ７を動作させる制御信号を生成するＣＰＵ部１７と、ＣＰＵ部１７及びコーデック回路１３から出力される各データをパケットによって多重化するとともに、通話相手から多重化された形で送られくるパケットから音声データ及び制御データに分離するための多重分離回路１８と、多重分離回路１８でパケット化されたデータを変調するデジタル変調機能及び通話相手から送られくるデジタル変調されたパケットを復調するデジタル復調機能を備えたデジタル変復調回路１９と、デジタル変調されたデータ信号を所定のプロトコルでペア線Ｌ２上へ送信するとともに、通話相手から所定のプロトコルで送信されてくるデータ信号を受信する送受信回路２０と、ロビーインターホン装置３内の各部に供給する直流電源をＡＣ１００Ｖの変換で得る電源部２１とから構成される。ここで多重分離回路１８、デジタル変復調回路１９及び送受信回路２０とで、音声、制御の各データの送受信手段を構成する。
【００２８】
一方住宅情報盤１は、図１（ｂ）に示すようにペア線Ｌ１を介して送られてくる変調された映像信号を受信する受信回路２２と、受信回路２２で受信したアナログ映像信号を復調するアナログ復調回路２３と、復調されたアナログ映像信号を取り込んで映像を画面に再生する液晶表示器のようなモニタ装置２４とを映像系の回路として備え、また、インターホンの送話手段であるマイク２５と、受話手段であるスピーカ２６と、マイク２５からの送話音声信号を増幅するアンプ２７と、増幅された送話音声信号を符号化した音声データに変換する符号器及び通話相手から送られくる符号化された受話音声データを復号して出力するとともに音声合成回路を内蔵したコーデック回路２８と、復号された受話音声信号を増幅してスピーカ２６へ送るアンプ２９と、内線通話時に通話相手の住戸番号（固有アドレス）を入力するテンキーや通話操作を行うための操作部３０と、防災感知器として火災感知器３６を接続する火災感知器インターフェース部３７と、通話状態等をＬＥＤ等で表示するための表示部３１と、操作部３０の操作信号や火災感知器インターフェース部３７を介して取り込まれる火災感知器４０の感知信号から所定の制御データを生成すると共に表示部３１の制御信号及び上記モニタ装置２４をオンさせる制御信号を生成するＣＰＵ部３２と、ＣＰＵ部３２及びコーデック回路２８から出力される符号化された各データを多重化するとともに、通話相手から多重化された形で送られくる符号化された音声データ及び制御データを分離するための多重分離回路３３と、多重分離回路３３でパケット化されたデータをデジタル変調する変調機能及び通話相手から送られくる通信データをデジタル復調するデジタル変復調回路３４と、デジタル変調された通信データをペア線Ｌ２上へ送信するとともに、通話相手から送信されてくる通信データを受信する送受信回路３５と、各部へ供給する直流電源をＡＣ１００Ｖの変換で得る電源部３８とから構成される。ここで多重分離回路３３、デジタル変調回路３４、送受信回路３５で音声、制御の各データの送受信手段を構成する。
【００２９】
尚警報監視盤２は、住宅情報盤１の火災感知器インターフェース部３７の代わりに警報報知手段を接続するインターフェース部を備え、その他の構成は住宅情報盤１に準ずるものであるので、図示は省略する。
【００３０】
而して本実施形態では、通常時においては、来訪者がロービーインターホン装置３の操作部１５を用いて訪問先の住戸番号を入力して呼び出し操作を行うと、ＣＰＵ部１７はこの操作信号を取り込み多重分離回路１８、デジタル変復調回路１９、送受信回路２０を介して制御データをパケット化してペア線Ｌ２上に送信するとともに、撮像カメラ７を起動させる。尚ペア線Ｌ２上に送信される制御データには呼び出し先の住戸番号に対応した住宅情報盤１に設定されている固有のアドレスデータが書き込まれている。
【００３１】
一方各住戸の住宅情報盤１では、送受信回路３５、デジタル変復調回路３４、多重分離回路３３を介してＣＰＵ部３２が復調された制御データを取り込むのであるが、自己アドレス宛の場合にはＣＰＵ部３２は制御データに基づいてコーデック回路２８を制御して音声合成による呼び出し音信号をアンプ２９を通じてスピーカ２６へ出力させ、スピーカ２６から呼び出し音を発鳴させる。これと同時にＣＰＵ部３２の制御の下でモニタ装置２４を起動させる。これにより当該住戸情報盤１では受信回路２２で受信し、アナログ復調回路２３で復調した映像信号がモニタ装置２４で再生され、来訪者の映像が映し出されることになる。
【００３２】
ここで当該住戸の居住者が住宅情報盤１の操作部３０の通話釦を押し下げると、当該住戸と、ロビーインターホン装置３との間で通話路が確立され、来訪者と居住者との間ではロビーインターホン装置３のマイク１０及びスピーカ１１と住宅情報盤１のマイク２５及びスピーカ２６を用いて双方向にデジタル音声データを用いた通話ができることになる。
【００３３】
ところでパケット化したデジタル音声データによって音声信号を双方向に送信するためロービーインターホン装置３の電源部２１及び住宅情報盤１の電源部２８にそれぞれスイッチング電源を用いても、アナログの音声信号を用いた場合のように商用電源周波による誘導ノイズの影響を受けず高品質の通話ができることになる。従って絶縁型トランスを用いた電源部よりも小型で安価なスイッチング電源で電源部２１，３８を構成することができる。勿論警報監視盤２も同様な電源部が使用できる。また音声データと制御データのみをデジタル伝送するため、伝送帯域が狭くてもよいため、既存のペア線を用いることもでき、システムをリニューアルする場合、既設のペア線を用いることができ、コストの低減が図れる。
【００３４】
次に居住者が操作部３０の通話釦を押し下げによる通話終了操作を行うと、上記の通話路が開放され、同時にＣＰＵ部３２の制御の下で、モニタ装置２４が待機状態に戻る。また制御データが当該住宅情報盤１側からロビーインターホン装置３側へ送られ、この制御データに対応してロビーインターホン装置３ではＣＰＵ部１７の制御の下で撮影カメラ７が待機状態に戻る。尚ロビーインターホン装置３と警報監視盤２との間の通話も上述と同様な手順で行われる。またパケットによって多重化を図って音声データ及び制御データを送受信するため、住戸同士の内線や、住戸と警報監視盤２を設置している管理人室との通話を同時に行うこともできる。
【００３５】
ところで、ある住宅情報盤１の火災感知器インターフェース部３７に接続されている火災感知器３６が感知信号を出力すると、当該住宅情報盤１からはＣＰＵ部３２の制御の下で、警報監視盤２宛に制御データがペア線Ｌ２を介して送信される。この制御データには送り側の固有アドレスデータを含むため、警報監視盤２のＣＰＵ部３２は取り込んだ制御データに基づいて出火場所を判断し、出火階に設置している警報報知器（図示せず）を警報報知手段を通じて駆動して火災発生を報知させるとともに、出火住戸の直上階にある住戸の住宅情報盤１へ火災発生通報の制御データをペア線Ｌ２を介して送信する。出火住戸の直上階にある住戸の住宅情報盤１のＣＰＵ部３２は、警報監視盤２からの制御データを受け取ると、コーデック回路２８を制御して音声合成による警報音信号をアンプ２９を介してスピーカ２６へ送り、スピーカ２６から警報音を発鳴させる。これにより当該住戸の居住者は火災発生を知ることになる。
【００３６】
ここでパケットによって多重伝送されるため、ロビーインターホン装置３とある住宅情報盤１との間で通話が為されている最中に、上述のような火災発生があって、当該住宅情報盤１から火災発生に対応する制御データを同じペア線Ｌ２上を介して警報監視盤２へ送信することができるのである。
（実施形態２）
本実施形態は、図２の破線で示すように共用部に監視用撮影カメラを備えた監視装置４０を設置した場合に対応するもので、この場合監視装置４０には住宅情報盤１（警報監視盤２）側から送信されてくる制御データに基づいて監視用撮影カメラの動作を起動させたり、或いは停止させる機能と、撮影した画像をサンプリングして静止画とし、その静止画を圧縮符号化した上でパケット化によって多重伝送を行う機能とを有し、図４（ａ）に示すように監視装置４０からのペア線Ｌ２’を制御盤５内でペア線Ｌ２に並列接続し、音声データ、制御データとともに、圧縮画像データを各住宅情報盤１及び警報監視盤２へ送信するようになっている。
【００３７】
一方住宅情報盤１（警報監視盤２）には図４（ｂ）に示すように多重分離回路３３で分離された圧縮画像データを伸張してアナログの静止画の映像信号とする画像伸張回路４１と、当該住宅情報盤１の操作部３０で監視装置４０の監視用撮影カメラを起動させる操作を行うと、この操作によりＣＰＵ部３２の制御の下で、モニタ装置２４をアナログ復調回路２３側から画像伸張回路４１側に切り替え接続する切り替えスイッチ部４２とを設けてある。そして上記の起動操作時にはＣＰＵ部３２は制御データを監視装置４０宛に送信する処理を行い、監視装置４０の撮影動作を起動させるようになっている。また監視装置４０の撮影動作を停止させる操作を操作部３０で行うと、停止させるための制御データをＣＰＵ部３２の制御の下で、監視装置４０宛に送信し、同時に切り替えスイッチ部４２を制御してモニタ装置２４をアナログ復調回路２３側へ切り替えるようになっている。
【００３８】
而して本実施形態では居住者或いは管理人により任意に監視装置４０の監視用撮影カメラを動作させることで、その撮影画像を住宅情報盤１或いは警報監視盤２のモニタ装置２４で静止画としてモニタすることができるのである。また静止画の圧縮画像データを送信するため、伝送帯域が広くならず、ペア線Ｌ２をそのまま用いることができるので、リニューアルする際も特に信号線を増設する必要もない。
【００３９】
尚住宅情報盤１の上記以外の構成は実施形態１と同じであるので、同じ構成要素には同じ符号を付し説明は省略する。またロビーインターホン装置３及び分岐器６の構成は実施形態１と同じであるので、ここでは図示しない。またインターホン通話、火災発生時の動作は実施形態１と同じであるので、それに対応する動作説明は省略する。
（実施形態３）
上記実施形態１或いは２では、火災発生時の動作は商用電源が供給されているときのみが有効であるが、本実施形態では、停電時においても火災発生時の動作が行えるようにしたものである。
【００４０】
つまり図５に示すように停電時に住宅情報盤１及び警報監視盤２へ電源線Ｌ０を介して例えばＤＣ２４Ｖの直流を供給する非常電源装置４３を集合住宅の共用設備として備えるとともに、各住宅情報盤１（警報監視盤２）には図６に示すように商用電源の停電検出時に非常電源装置４３からの直流を取り込み、停電時の動作に必要な火災感知器インターフェース部３７、ＣＰＵ部３２、コーデック回路２８、アンプ２９に電源を供給する停電時電源部４４と、電源部３８の電力で動作し、リレー接点ｒを通常時には通常（ＮＯ）側に接続し、停電時には停電（ＮＣ）側に復帰接続するリレー（図示せず）と、電源部３８から電源供給を受け、通常時にリレー接点ｒを通じてペア線Ｌ１を介して分岐器６へリレー駆動用の直流電圧を供給するリレー駆動電源部４５と、停電時は後述する伝送ユニット（図示せず）から伝送されてくる複極のベースバンド信号からなる伝送信号を整流して動作電源を得て動作する停電時制御通信送受信回路４６とを設け、更に各分岐器６には図７（ａ）に示すようにペア線Ｌ１を介して供給される直流電圧を分離する電源分離部６１を設けるとともに、この分離した直流電圧で駆動され、映像分岐器６０の入力端側と、出力端側とに挿入しているリレー接点ｒ１０，ｒ１１を通常（ＮＯ）側に接続してペア線Ｌ１０を入力端に、ペア線Ｌ１を出力端にそれぞれ接続し、直流電圧が無くなる停電時には停電（ＮＣ）側にリレー接点ｒ１０，ｒ１１を復帰させるリレー（図示せず）を設け、また制御盤５には、図７（ｂ）に示すように電源部５１からの電源により動作し、映像分配増幅回路５０の各出力端と各出力端に接続されるペア線Ｌ１０との間をリレー接点ｒ２１…の通常（ＮＯ）側を介して接続するとともに、映像分配増幅回路５０の入力端とこの入力端に接続されるペア線Ｌ１との間をリレー接点ｒ３の通常（ＮＯ）側を介して接続するリレー（図示せず）を備えている。尚各リレー接点ｒ２１…及びｒ３の停電（ＮＣ）側は共通接続され、停電時にはＮＣ側に復帰したリレー接点ｒ２１…及びｒ３を介して各ペア線Ｌ１同士接続されるようになっている。
【００４１】
尚警報監視盤２では停電時制御通信送受信回路４６の代わりに後述する伝送ユニット（図示せず）が設けられている。
【００４２】
而して、停電が発生すると各住宅情報盤１及び警報監視盤２には非常用電源装置４３から電源が供給された状態となる。また停電によりロビーインターホン装置３、制御盤５のリレー（図示せず）及び映像分配増幅回路５０、分岐器６のリレー（図示せず）が動作しなくなる。そのためペア線Ｌ１は映像分配増幅回路５０や映像分岐器６０を介さずにペア線Ｌ１同士が直接接続されることになる。
【００４３】
そして警報監視盤２の伝送ユニット（図示せず）は複極のベースバンド信号からなる伝送信号をペア線Ｌ１０上に伝送する動作を開始する。この伝送信号は各住宅情報盤１に予め設定してある固有アドレスに対応したアドレスデータを含むもので、伝送ユニット（図示せず）は順次且つサイクリックに各固有アドレスに対応する伝送信号をペア線Ｌ１上に送信するのである。
【００４４】
この伝送信号はペア線Ｌ１を介して、各住宅情報盤１の停電時制御通信送受信回路４６に受信されることになる。ここで停電時制御通信送受信回路４６は伝送信号を内蔵せる信号処理回路（図示せず）へ取り込むとともに、整流回路（図示せず）で伝送信号を整流して動作電源を得る。信号処理回路は自己アドレス宛の伝送信号と判断した場合、ＣＰＵ部３２に対して火災感知器インターフェース部３７の入力状態を示すデータ、つまり火災感知器３６の感知信号の入力の有無を示す監視データを要求し、ＣＰＵ部３２から送られくる監視データを伝送信号に設けられた返送信号を送るためのタイムスロットにおいて返送する。これにより警報監視盤２の伝送ユニット（図示せず）では各住宅情報盤１からの返送信号の内容から火災発生の有無をチェックすることができ、火災発生があった場合には当該住戸の直上階の住戸の住宅情報盤１の固有アドレスをアクセスするときに警報を発するための制御データを送る。これに対応して当該住宅情報盤１では、ＣＰＵ部３２の制御の下でコーデック回路２８を制御して警報音信号をアンプ２９を介してスピーカ２６へ送らせ、スピーカ２６から警報音を発鳴させる。また警報監視盤２では火災階の警報報知器を駆動して火災発生を報知させる。
【００４５】
このように本実施形態では、停電時にあっても火災発生に対処することができるのである。
【００４６】
尚上述の停電用の回路構成以外は実施形態１と同じであり、同じ構成要素には同じ符号を付し、説明は省略する。また非停電時の動作も実施形態１と同じであるので動作説明も省略する。
（実施形態４）
本実施形態は、図８に示すようにロビーインターホン装置３を２箇所設けた場合に対処するものであって、図９（ａ）に示すように制御盤５から集合住宅内への配線を３組のＬ１〜Ｌ３のペア線からなる３ペア線４’を用い、ペア線Ｌ１，Ｌ３をロビーインターホン装置３，３のアナログ映像信号の伝送路として用い、制御データや音声データはパケットによる多重化伝送により残りのペア線Ｌ２を共用する。尚各ロビーインターホン装置３，３から制御盤５への接続はＬ１又はＬ３とＬ２のペア線からなる２ペア線４を用いる。
【００４７】
本実施形態で使用する制御盤５は図９（ａ）に示すように各映像信号の伝送路に対応して２つの映像分配回路５０１，５０２を設けてある。また分岐器６においても図９（ｂ）に示すように各映像信号伝送路に対応して２つの映像分岐器６０１，６０２を設けてある。
【００４８】
また住宅情報盤１では図１０に示すように２系統のアナログ映像信号に対応して、呼び出しがあったロビーインターホン装置３からの制御データに基づいてＣＰＵ部３２の制御の下で取り込むアナログ映像信号を切り替える切り替えスイッチ部３９を備えている。
【００４９】
而して本実施形態では、ロビーインターホン装置３が２箇所設けられていても、３ペア線４’で対処できるため、制御系、映像系、インターホン系に３ペア線の各ペア線を用いた配線を既にしている集合住宅のリニューアルにも簡単に対応できる。
【００５０】
尚インターホン通話時、火災発生時の動作は実施形態１に準ずるものであるので、説明は省略する。また上記構成以外は実施形態１と同じであるので、同じ構成要素には同じ符号を付して、構成の説明は省略する。
（実施形態５）
上記実施形態１乃至４の何れもロビーインターホン装置３からアナログ映像信号を送信する構成であったため、各住宅情報盤１へアナログ映像信号を取り込むためには分岐器６を必要としたが、本実施形態では、ロビーインターホン装置３から送信される映像信号をデジタル化して伝送するようにし、図１１に示すように分岐器６を無くしたものである。
【００５１】
つまり図１２（ａ）に示すようにロビーインターホン装置３では、撮影カメラ７で撮影して得られカラー映像信号を例えばＲＧＢのデジタル映像信号として取り出してデジタル変調回路８’でデジタル変調し、送信回路９で送信する。
【００５２】
一方制御盤５内にはデジタル映像信号に対応してデジタル映像分配増幅回路５０’を設け、更に住宅情報盤１では図１３に示すように受信回路２２で受信したデジタル映像信号をアナログの映像信号に復調するデジタル復調回路２３’を設けてある。
【００５３】
而して、本実施形態では、デジタル映像信号を伝送することによって分岐器６を不要とし、コストの低減が図れる。
【００５４】
尚インターホン通話時、火災発生時の動作は実施形態１に準ずるものであるので、説明は省略する。また上記構成以外は実施形態１と同じであるため、同じ構成要素には同じ符号を付して構成の説明は省略する。
（実施形態６）
ところで各住戸にはドアホン子器が設けられるのが通常で、このドアホン子器にも来訪者を撮影する撮影カメラが設けられ、住宅情報盤１のモニタ装置２４でモニタできるようなっている。
【００５５】
本実施形態は図１４に示すように住宅情報盤１にカメラ付きドアホン子器７０を設けたシステムにおいて対応したものである。つまりカメラ付きドアホン子器７０と住宅情報盤１との間を音声信号、映像信号、制御信号を周波数多重によってペア線Ｌ４を介して住宅情報盤１との間で送受信する。
【００５６】
これに対応して住宅情報盤１内には図１５に示すように音声信号、映像信号、制御信号を分離するとともに音声信号をドアホン子器７０側へ送るための多重化を図る多重分離回路７１と、多重分離回路７１で分離した制御信号から子器呼び出し検出を行う子器呼出検出回路７２と、分離したドアホン子器７０からの受話音声信号をアンプ２９へ送るとともに、アンプ２７からの送話音声信号を多重分離回路７１を介してドアホン子器７０へ送り出すための通話回路７３と、ドアホン子器７０へペア線Ｌ４を介して供給する子器給電部７４と、ペア線Ｌ１からのアナログ映像信号と、多重分離回路７１からのアナログ映像信号とを切り替える切り替えスイッチ部７５とを備え、ドアホン子器７０からの呼び出し検出があるとＣＰＵ部３２が切り替えスイッチ部７５をペア線Ｌ１側から多重分離回路７１側に切り替えて、ドアホン子器７０側からの映像信号を受信回路２２に取り込ませるともにモニタ装置２４を起動させ、モニタ装置２４で来訪者の映像をモニタできるようにし、且つコーデック回路２８を制御して呼び出し音信号をアンプ２９からスピーカ２６へ送り、スピーカ２６から呼び出し音を報知させる制御を行うようになっている。
【００５７】
そして操作部３０で通話釦が押し下げられると、ＣＰＵ部３２の制御の下で、ロビーインターホン装置３との間のインターホン通話と同様にスピーカ２６及びマイク２５を使用してドアホン子器７０との通話ができるようになる。
【００５８】
このように本実施形態では、居住者はドアホン子器７０の撮影カメラで撮影した来訪者をモニタ装置２４でモニタしながら来訪者との通話ができるのである。
【００５９】
尚分岐器６、制御盤５及び警報監視盤２の構成は実施形態１と同じであるので、構成及びその動作は省略する。また住宅情報盤１においてドアホン子器７０の関係以外の構成は実施形態１の住宅情報盤１と同じであるので、同じ構成要素には同じ符号を付して説明は省略する。
【００６０】
尚実施形態５のように分岐器６を無くすために、ロビーインターホン装置３からデジタル映像信号を送信させるシステムにあっては、ドアホン子器７０の映像信号もデジタル変調して住宅情報盤１へ送ることで、図１６に示すようにデジタル復調回路２３’が共用できることになる。
【図面の簡単な説明】
【００６１】
【図１】（ａ）は実施形態１に用いるロビーインターホン装置の構成図、（ｂ）は同上に用いる住宅情報盤の構成図である。
【図２】同上のシステム図である。
【図３】（ａ）は同上に用いる制御盤の構成図、（ｂ）は同上に用いる分岐器の構成図である。
【図４】（ａ）は実施形態２に用いる制御盤の構成図、（ｂ）は同上に用いる住宅情報盤の構成図である。
【図５】実施形態３のシステム構成図である。
【図６】同上に用いる住宅情報盤の構成図である。
【図７】（ａ）は同上に用いる分岐器の構成図、（ｂ）は同上に用いる制御盤の構成図である。
【図８】実施形態４のシステム構成図である。
【図９】（ａ）は同上に用いる制御盤の構成図、（ｂ）は同上に用いる分岐器の構成図である。
【図１０】同上に用いる住宅情報盤の構成図である。
【図１１】は実施形態５のシステム構成図である。
【図１２】（ａ）は同上に用いるロビーインターホン装置の構成図、（ｂ）は同上に用いる制御盤の構成図である。
【図１３】同上に用いる住宅情報盤の構成図である。
【図１４】実施形態４のシステム構成図である。
【図１５】同上に用いる住宅情報盤の構成図である。
【図１６】デジタル映像信号を送るドアホン子器に対応する住宅情報盤の構成図である。
【符号の説明】
【００６２】
１  住宅情報盤
３  ロビーインターホン装置
４  ２ペア線
７  撮影カメラ
８  アナログ変調回路
９  送信回路
１０，２５  マイク
１１，２６  スピーカ
１２，２７  アンプ
１３，２８  コーデック回路
１４，２６  スピーカ
１５，３０  操作部
１６，３１  表示部
１７，３２  ＣＰＵ部
１８，３３  多重分離回路
１９，３４  デジタル変復調回路
２０，３５  送受信回路
２１，３８  電源部
２２  受信回路
２３  アナログ復調回路
２４  モニタ装置
３６  火災感知器
３７  火災感知器インターフェース部
Ｌ１，Ｌ２  ペア線
【図１】
2005236581.tif 000003
【図２】
2005236581.tif 000004
【図３】
2005236581.tif 000005
【図４】
2005236581.tif 000006
【図５】
2005236581.tif 000007
【図６】
2005236581.tif 000008
【図７】
2005236581.tif 000009
【図８】
2005236581.tif 000010
【図９】
2005236581.tif 000011
【図１０】
2005236581.tif 000012
【図１１】
2005236581.tif 000013
【図１２】
2005236581.tif 000014
【図１３】
2005236581.tif 000015
【図１４】
2005236581.tif 000016
【図１５】
2005236581.tif 000017
【図１６】
2005236581.tif 000018